(57)【特許請求の範囲】
【請求項１】
移動通信システムで端末の下向きリンクスケジューリングを処理する方法において、
任意の伝送時間間隔（Ｔｒａｎｓｍｉｓｓｉｏｎ  Ｔｉｍｅ  Ｉｎｔｅｒｖａｌ）で設定された下向きリンクスケジューリングを、前記端末が確認する段階と；
前記端末が伝送モード９に設定されたか否か及び前記伝送時間間隔のサブフレームがＭＢＳＦＮ（ｍｕｌｔｉｍｅｄｉａ  ｂｒｏａｄｃａｓｔ  ｍｕｌｔｉｃａｓｔ  ｓｅｒｖｉｃｅ  ｓｉｎｇｌｅ  ｆｒｅｑｕｅｎｃｙ  ｎｅｔｗｏｒｋ）サブフレームであるか否かを確認する段階と；
前記端末が前記伝送モード９に設定され、かつ前記サブフレームが前記ＭＢＳＦＮサブフレームである場合、前記伝送時間間隔に対する前記下向きリンクスケジューリングに基づいて、前記サブフレームを処理する段階と；を含む
ことを特徴とする方法。
【請求項２】
前記伝送時間間隔内に測定ギャップ（ｍｅａｓｕｒｅｍｅｎｔ  ｇａｐ）があるのか否かを、前記端末が確認する段階をさらに含む
ことを特徴とする請求項１に記載の方法。
【請求項３】
前記処理する段階は、
前記伝送時間間隔内に前記測定ギャップがない場合、前記下向きリンクスケジューリングに基づき、前記サブフレームを、前記端末が処理する段階を含む
ことを特徴とする請求項２に記載の方法。
【請求項４】
前記伝送時間間隔のサブフレームがＭＢＳＦＮサブフレームではない場合、前記伝送時間間隔に対する前記下向きリンクスケジューリングに基づき、前記サブフレームを、前記端末が処理する段階をさらに含む
ことを特徴とする請求項１に記載の方法。
【請求項５】
前記下向きリンクスケジューリングは、活性化された半永久的スケジューリングによって、前記端末により、設定される
ことを特徴とする請求項１に記載の方法。
【請求項６】
前記ＭＢＳＦＮサブフレームは、上位階層（ｈｉｇｈｅｒ  ｌａｙｅｒ）を通じ、指示されるＭＢＳＦＮサブフレーム設定リストを通じて、前記端末により、確認される
ことを特徴とする請求項１に記載の方法。
【請求項７】
移動通信システムで下向きリンクスケジューリングを処理する端末において、
基地局と信号を送受信する送受信部と；
任意の伝送時間間隔（Ｔｒａｎｓｍｉｓｓｉｏｎ  Ｔｉｍｅ  Ｉｎｔｅｒｖａｌ）で設定された下向きリンクスケジューリングを確認し、前記端末が伝送モード９に設定されたか否か及び前記伝送時間間隔のサブフレームがＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームであるのか否かを確認し、前記端末が前記伝送モード９に設定され、かつ前記サブフレームが前記ＭＢＳＦＮサブフレームである場合、前記伝送時間間隔に対する前記下向きリンクスケジューリングに基づき、前記サブフレームを処理する制御部と；を含む
ことを特徴とする端末。
【請求項８】
前記制御部は、
前記伝送時間間隔内に測定ギャップ（ｍｅａｓｕｒｅｍｅｎｔ  ｇａｐ）があるのか否かを確認する
ことを特徴とする請求項７に記載の端末。
【請求項９】
前記制御部は、
前記伝送時間間隔内に前記測定ギャップがない場合、前記下向きリンクスケジューリングに基づき、前記サブフレームを処理する
ことを特徴とする請求項８に記載の端末。
【請求項１０】
前記制御部は、
前記伝送時間間隔のサブフレームがＭＢＳＦＮサブフレームではない場合、前記伝送時間間隔に対する前記下向きリンクスケジューリングに基づき、前記サブフレームを処理するように制御する
ことを特徴とする請求項７に記載の端末。
【請求項１１】
前記下向きリンクスケジューリングは、活性化された半永久的スケジューリングによって設定される
ことを特徴とする請求項７に記載の端末。
【請求項１２】
前記ＭＢＳＦＮサブフレームは、上位階層（ｈｉｇｈｅｒ  ｌａｙｅｒ）を通じ、指示されるＭＢＳＦＮサブフレーム設定リストを通じて確認される
ことを特徴とする請求項７に記載の端末。
【発明の詳細な説明】
【技術分野】
【０００１】
本発明は、無線通信システムに関し、より具体的には、ＭＢＭＳサービスを受信する端末がＭＢＳＦＮサブフレームで半永久的スケジューリングを処理する方法及び装置に関する。
【背景技術】
【０００２】
一般的に、移動通信システムは、ユーザの移動性を確保しながら通信を提供するための目的で開発された。このような移動通信システムは、技術の飛躍的な発展に伴い、音声通信はもちろん、高速のデータ通信サービスを提供することができる段階になった。
近年、次世代移動通信システムのうち１つとして３ＧＰＰでＬＴＥ（Ｌｏｎｇ  Ｔｅｒｍ  Ｅｖｏｌｕｔｉｏｎ）に対する規格化作業が進行中にある。ＬＴＥは、一般的に提供されているデータ伝送率より高い、最大１００Ｍｂｐｓ程度の伝送速度を有する高速パケット基盤通信を実現する技術である。このために、様々な方案が論議されているが、例えば、ネットワークの構造を簡単にして通信路上に位置するノードの数を減らす方案や、無線プロトコルを最大限無線チャネルに近接させる方案などが論議中である。
【０００３】
一方、データサービスは、音声サービスとは異なって、伝送しようとするデータの量とチャネル状況によって割り当てることができる資源などが決定される。したがって、移動通信システムのような無線通信システムでは、スケジューラで伝送しようとする資源の量とチャネルの状況及びデータの量などを考慮して伝送資源を割り当てるなどの管理が行われる。これは、次世代移動通信システムのうち１つであるＬＴＥでも同一に行われ、基地局に位置するスケジューラが無線伝送資源を管理し割り当てる。
最近、ＬＴＥ通信システムにさまざまな新技術を結合して伝送速度を向上させる進化したＬＴＥ通信システム（ＬＴＥ−Ａｄｖａｎｃｅｄ、ＬＴＥ−Ａ）に対する論議が本格化されている。進化したＬＴＥ−Ａシステムは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の改善をも含む。ＭＢＭＳは、ＬＴＥシステムを通じて提供されるブロードキャストサービスである。
【０００４】
一方、ＶｏＩＰのように周期的に無線資源割り当てが必要なトラフィックに個別的にｄａｔａ  ｂｕｒｓｔ伝送のためのスケジューリング情報を提供することは、シグナリングオーバーヘッドのみを増加させる。したがって、周期的に無線資源を割り当てるスケジューリング情報をあらかじめ一度だけ端末に提供し、端末は、周期的に割り当てられた無線資源を利用してデータを伝送するスケジューリング技法をＳＰＳと言う。
ところが、ＳＰＳによって下向きリンク資源が割り当てられたサブフレームとＭＢＭＳ提供のためのサブフレームとが重複される場合、ＳＰＳによる下向きリンク資源を処理すべきかまたはＭＢＭＳ提供のためのサブフレームを処理すべきかについて明確に糾明されていない。これにより、端末の明確な動作定義が必要になっている。
【発明の概要】
【発明が解決しようとする課題】
【０００５】
本発明は、前述した問題点を解決するためになされたもので、ＭＢＭＳサービスを受信する端末がＭＢＳＦＮサブフレームで半永久的スケジューリングを処理する方法及び装置を提供することを目的とする。
【課題を解決するための手段】
【０００６】
上記目的を達成するために、本発明の移動通信システムでＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を受信する端末の下向きリンクスケジューリング処理方法は、任意の伝送時間間隔（Ｔｒａｎｓｍｉｓｓｉｏｎ  Ｔｉｍｅ  Ｉｎｔｅｒｖａｌ）で下向きリンクスケジューリングの発生を感知する感知段階と、前記端末が伝送モード９に設定されたかまたは前記伝送時間間隔がＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームに該当するか否かによって前記下向きリンクスケジューリングの処理可否を決定する決定段階と、前記決定結果によって前記下向きリンクスケジューリングを処理するかまたは無視するように処理する処理段階とを含むことを特徴とする。
【０００７】
また、本発明の移動通信システムでＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を受信し、下向きリンクスケジューリングを処理する端末は、基地局と信号を送受信する送受信部と、任意の伝送時間間隔（Ｔｒａｎｓｍｉｓｓｉｏｎ  Ｔｉｍｅ  Ｉｎｔｅｒｖａｌ）で下向きリンクスケジューリングの発生を感知し、前記端末が伝送モード９に設定されたかまたは前記伝送時間間隔がＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームに該当するか否かによって前記下向きリンクスケジューリングの処理可否を決定し、前記決定結果によって前記下向きリンクスケジューリングを処理するかまたは無視するように処理する制御部とを含むことを特徴とする。
【発明の効果】
【０００８】
本発明によれば、ＭＢＭＳサービスを受信する端末が任意の伝送時間間隔（ＴＴＩ）がＭＢＳＦＮであるかまたは前記端末が伝送モード９に設定されているか否かによってユニキャスト処理モードで動作するかまたはＭＢＭＳ処理モードで動作する。したがって、ＳＰＳによって下向きリンク資源が割り当てられたサブフレームとＭＢＭＳ提供のためのサブフレームとが重複される場合、ＳＰＳによる下向きリンク資源を処理すべきかまたはＭＢＭＳ提供のためのサブフレームを処理すべきかについて端末の動作が明確に定義されることができる。
【図面の簡単な説明】
【０００９】
【図１】ＭＢＭＳ概念図である。
【図２】ＭＢＳＦＮ伝送のために使用される下向きリンクチャネルマッピング図である。
【図３】ＬＴＥシステムで使用される下向きリンクフレーム構造図である。
【図４】端末によるＭＢＳＦＮ受信のための過程を説明するための図である。
【図５】ＳＰＳを活性化及び非活性化する過程を説明するための図である。
【図６】下向きリンクでＳＰＳ動作と再伝送方法を説明するための図である。
【図７】本発明での端末動作を説明するための図である。
【図８】ＭＢＭＳカウンティング要請／過程を詳細に説明するための図である。
【図９】端末の内部構造を示すブロック図である。
【図１０】基地局の内部構造を示すブロック図である。
【発明を実施するための形態】
【００１０】
本発明は、ＭＢＭＳサービスを受信する端末がＭＢＳＦＮサブフレームで半永久的スケジューリング（Ｓｅｍｉ−Ｐｅｒｓｉｓｔｅｎｔ  Ｓｃｈｅｄｕｌｉｎｇ）を処理する方法及び装置に関する。
以下、添付の図面を参照して本発明の好ましい実施形態を詳しく説明する。この際、添付の図面において同一の構成要素は、できるだけ同一の符号で示していることに留意しなければならない。また、本発明の要旨を不明にするおそれがある公知機能及び構成に対する詳細な説明を省略する。
【００１１】
図１は、ＭＢＭＳ概念図を示す図である。
ＭＢＭＳサービス領域（ＭＢＭＳ  ｓｅｒｖｉｃｅ  ａｒｅａ）１００は、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）伝送を行うことができる多数の基地局よりなるネットワーク領域である。
ＭＢＳＦＮ領域（ＭＢＳＦＮ  Ａｒｅａ）１０５は、ＭＢＳＦＮ伝送のために、統合された様々なセルで構成されたネットワーク領域であり、ＭＢＳＦＮ領域内のセルは、いずれもＭＢＳＦＮ伝送が同期化されている。
ＭＢＳＦＮ領域予約セル（ＭＢＳＦＮ  Ａｒｅａ  Ｒｅｓｅｒｖｅｄ  Ｃｅｌｌｓ）１１０を除いたすべてのセルは、ＭＢＳＦＮ伝送に利用される。ＭＢＳＦＮ領域予約セル１１０は、ＭＢＳＦＮ伝送に利用されないセルであり、他の目的のために伝送が可能であるが、ＭＢＳＦＮ伝送に割り当てられた無線資源に対して、制限された送信電力が許容されることができる。
【００１２】
図２は、ＭＢＳＦＮ伝送のために使用される下向きリンクチャネルマッピング関係を示す図である。
図２に示されたように、ＭＡＣ階層と物理階層との間では、ＭＣＨ  ２００を利用し、ＭＣＨは、物理階層のＰＭＣＨ  ２０５とマッピングされる。
データを特定の端末に対してだけ伝送するユニキャスト方式は、一般的にＰＤＳＣＨ（Ｐｈｙｓｉｃａｌ  Ｄｏｗｎｌｉｎｋ  Ｓｈａｒｅｄ  Ｃｈａｎｎｅｌ）２１０を利用する。
【００１３】
図３は、ＬＴＥシステムで使用される下向きリンクフレームの構造を示す図である。
図３に示されたように、任意のラジオフレーム３００は、１０個のサブフレーム３０５よりなる。ここで、それぞれのサブフレームは、一般的なデータ送受信のために使用される‘一般サブフレーム３１０’とブロードキャストのために使用される‘ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、以下、ＭＢＳＦＮと称する）サブフレーム３１５’の形態が存在する。
【００１４】
一般サブフレームとＭＢＳＦＮサブフレームの差異は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭと称する）シンボルの個数、巡回プレフィックス（Ｃｙｃｌｉｃ  ｐｒｅｆｉｘ）の長さ、セル特定基準信号（ｃｅｌｌ−ｓｐｅｃｉｆｉｃ  ｒｅｆｅｒｅｎｃｅ  ｓｉｇｎａｌｓ、ＣＲＳ）などの構造及び個数において差異がある。
一方、Ｒｅｌ−８、Ｒｅｌ−９システムでＭＢＳＦＮサブフレームは、ブロードキャスト（ｂｒｏａｄｃａｓｔ）またはマルチキャスト（ｍｕｌｔｉｃａｓｔ）データを伝送するなどの目的だけで使用された。しかし、システムが進化してＬＴＥ  Ｒｅｌ−１０からはＭＢＳＦＮサブフレームがブロードキャストまたはマルチキャストの目的だけでなく、ユニキャスト（ｕｎｉｃａｓｔ）の目的でも使用が可能になった。
【００１５】
ＬＴＥでは、物理下向きリンク共有チャネル（Ｐｈｙｓｉｃａｌ  Ｄｏｗｎｌｉｎｋ  Ｓｈａｒｅｄ  ＣＨａｎｎｅｌ、以下、ＰＤＳＣＨと称する）を効率的に使用するために、各端末をマルチアンテナ（Ｍｕｌｔｉ−ａｎｔｅｎｎａ）技術及びＲＳ（Ｒｅｆｅｒｅｎｃｅ  ｓｉｇｎａｌ）と関連した伝送モード（Ｔｒａｎｓｍｉｓｓｉｏｎ  Ｍｏｄｅ、ＴＭ）に区分して設定する。
現在、ＬＴＥ  Ｒｅｌ−１０では、ＴＭ１〜ＴＭ９まで存在する。それぞれの端末は、ＰＤＳＣＨ伝送のために１つのＴＭを有し、ＴＭ８番がＲｅｌ−９で、ＴＭ９番がＲｅｌ−１０で新しく定義された。
【００１６】
ここで、特にＴＭ９番は、最大８個のランクを有するＳＵ−ＭＩＭＯ（ｓｉｎｇｌｅ  ｕｓｅｒ−ｍｕｌｔｉ−ｉｎｐｕｔ  ｍｕｌｔｉ−ｏｕｔｐｕｔ）をサポートする。ＴＭ９番は、多重レイヤの伝送をサポートし、復調（ｄｅ−ｍｏｄｕｌａｔｉｏｎ）時にＲｅｌ−１０  ＤＭＲＳ（Ｄｅｍｏｄｕｌａｔｉｏｎ  Ｒｅｆｅｒｅｎｃｅ  Ｓｉｇｎａｌ、復調基準信号；以下、ＤＭＲＳと称する）を使用して、最大８個レイヤの伝送を可能にする。また、前記Ｒｅｌ−１０  ＤＭＲＳは、あらかじめコーディングされた（ｐｒｅｃｏｄｅｄ）ＤＭＲＳが伝送されるが、当該プレコーダーインデックス（ｐｒｅｃｏｄｅｒ  ｉｎｄｅｘ）を受信端に通知する必要がない。また、ＴＭ９番をサポートするために、Ｒｅｌ−１０でＤＣＩ（Ｄｏｗｎｌｉｎｋ  Ｃｏｎｔｒｏｌ  Ｉｎｆｏｒｍａｔｉｏｎ、下向きリンク制御情報；以下、ＤＣＩと称する）フォーマット２Ｃが新規に定義された。特記すべきは、Ｒｅｌ−１０以前の端末は、ＭＢＳＦＮサブフレームでデコーディングを試みないことである。したがって、すべての端末にＭＢＳＦＮサブフレームでデコーディングを試みるようにすることは、前記以前リリース（ｒｅｌｅａｓｅ）の端末のアップグレード要求につながる。
【００１７】
本発明では、すべての端末がＭＢＳＦＮサブフレームでユニキャストデータを受信することができるようにする代わりに、前記機能が必要な、例えば高速データ通信が必要な端末にのみ前記機能を適用する。
前述したＴＭのうち特にＴＭ９は、多重アンテナを使用して伝送効率を極大化する伝送モードである。本発明において基地局は、ＭＢＳＦＮサブフレームでもユニキャストデータを受信することによって、データ処理量（ｔｈｒｏｕｇｈｐｕｔ）を高める必要がある端末には、ＴＭ９を設定し、ＴＭ９が設定された端末だけがＭＢＳＦＮサブフレームでユニキャストデータを受信するようにする。
一方、ユニキャストデータ送受信のために、ＬＴＥシステムでは、データ送受信が実際にどこで起きるかをＰＤＣＣＨで通知し、実際データは、ＰＤＳＣＨで伝送する。端末は、実際データを受信する前に、ＰＤＣＣＨで前記端末に割り当てられた資源割り当て情報があるか否かを判断しなければならない。
【００１８】
一方、ＭＢＳＦＮは、さらに複雑な過程を通じて、資源割り当て情報を獲得する。まず、基地局は、ブロードキャスト情報であるＳＩＢ１３（Ｓｙｓｔｅｍ  Ｉｎｆｏｒｍａｔｉｏｎ  Ｂｌｏｃｋ  １３）を通じて、端末にセルが提供しているＭＢＳＦＮ領域（ＭＢＳＦＮ  Ａｒｅａ）別にＭＣＣＨ（Ｍｕｌｔｉｃａｓｔ  Ｃｏｎｔｒｏｌ  Ｃｈａｎｎｅｌ）の伝送位置を通知する。ＭＣＣＨは、ＭＢＳＦＮのための資源割り当て情報を含んでおり、端末は、ＭＣＣＨをデコーディングし、ＭＢＳＦＮサブフレームの伝送位置を把握することができる。
前述したように、ＭＢＭＳが従来のユニキャストと異なる方式を通じて、資源割り当て情報を提供する理由は、ＭＢＭＳが待機モードにある端末にも提供可能ではなければならないからである。したがって、制御チャネルであるＭＣＣＨの伝送位置をブロードキャスト情報であるＳＩＢ１３で通知する。
【００１９】
図４は、端末によるＭＢＳＦＮ受信のための過程を示す流れ図である。
端末４００は、基地局４０５から４１０段階でＳＩＢ２を受信する。ＳＩＢ２のＭＢＳＦＮサブフレーム設定リスト（ＭＢＳＦＮ−ＳｕｂｆｒａｍｅＣｏｎｆｉｇＬｉｓｔ  ＩＥ）には、ＭＢＳＦＮ伝送目的のために使用されることができるサブフレームを指示する。ＭＢＳＦＮ−ＳｕｂｆｒａｍｅＣｏｎｆｉｇＬｉｓｔ  ＩＥには、ＭＢＳＦＮ−ＳｕｂｆｒａｍｅＣｏｎｆｉｇ  ＩＥが含まれ、どのラジオフレーム（Ｒａｄｉｏ  ｆｒａｍｅ）のどのサブフレーム（ｓｕｂｆｒａｍｅ）がＭＢＳＦＮサブフレームになることができるかを指示する。次の表１は、ＭＢＳＦＮ−ＳｕｂｆｒａｍｅＣｏｎｆｉｇ  ＩＥの構成表である。
【００２０】
【表１】
0006054375.tif 000002
【００２１】
ここで、ラジオフレーム割り当て周期（ｒａｄｉｏＦｒａｍｅＡｌｌｏｃａｔｉｏｎＰｅｒｉｏｄ）とラジオフレーム割り当てオフセット（ｒａｄｉｏＦｒａｍｅＡｌｌｏｃａｔｉｏｎＯｆｆｓｅｔ）は、ＭＢＳＦＮサブフレームを有するラジオフレームを指示するのに利用され、数式ＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔを満足するラジオフレームは、ＭＢＳＦＮサブフレームを有する。
【００２２】
ＳＦＮは、システムフレームナンバー（Ｓｙｓｔｅｍ  Ｆｒａｍｅ  Ｎｕｍｂｅｒ）であり、ラジオフレーム番号を指示する。０から１０２３の範囲を持って、繰り返される。サブフレーム割り当て（ｓｕｂｆｒａｍｅＡｌｌｏｃａｔｉｏｎ）は、前記数式によって指示されたラジオフレーム内でどのサブフレームがＭＢＳＦＮサブフレームであるかを指示する。１つのラジオフレーム単位または４つのラジオフレーム単位で指示することができる。１つのラジオフレーム単位を利用する場合、ｏｎｅＦｒａｍｅ  ＩＥに指示される。ＭＢＳＦＮサブフレームは、１つのラジオフレーム内の総１０個のサブフレームのうち、１、２、３、６、７、８番目のサブフレーム中に存在することができる。したがって、ｏｎｅＦｒａｍｅ  ＩＥは、６ビットを利用して前記羅列されたサブフレームのうちＭＢＳＦＮサブフレームを指示する。４つのラジオフレーム単位を利用する場合、ｆｏｕｒＦｒａｍｅｓ  ＩＥに指示される。４つのラジオフレームをカバーするために、総２４ビットを利用して、ラジオフレームごとに前記羅列されたサブフレームのうちＭＢＳＦＮサブフレームを指示する。したがって、端末は、ＭＢＳＦＮ−ＳｕｂｆｒａｍｅＣｏｎｆｉｇＬｉｓｔ  ＩＥを利用して正確にＭＢＳＦＮサブフレームになることができるサブフレームを把握することができる。
【００２３】
もし、端末４００がＭＢＳＦＮ受信を希望すれば、端末４００は、４１５段階で、基地局４０５からＳＩＢ１３を受信する。ＳＩＢ１３のＭＢＳＦＮ領域情報リスト（ＭＢＳＦＮ−ＡｒｅａＩｎｆｏＬｉｓｔ  ＩＥ）には、セルが提供しているＭＢＳＦＮ領域別にＭＣＣＨが伝送される位置情報が含まれ、この情報を利用して、端末は、ＭＣＣＨを４２０段階で受信する。
【００２４】
ＭＣＣＨのＭＢＳＦＮ領域設定（ＭＢＳＦＮＡｒｅａＣｏｎｆｉｇｕｒａｔｉｏｎ  ＩＥ）には、ＭＢＳＦＮ伝送のために利用される資源の位置を指示し、端末は、この情報を利用して、ＭＢＳＦＮサブフレームを４２５段階で受信する。端末は、受信したＭＡＣ  ＰＤＵのＭＡＣ  ＣＥ（Ｃｏｎｔｒｏｌ  Ｅｌｅｍｅｎｔ）中の１つである、ＭＣＨスケジューリング情報ＭＡＣ  ＣＥ（ＭＣＨ  ｓｃｈｅｄｕｌｉｎｇ  ｉｎｆｏｒｍａｔｉｏｎ  ＭＡＣ  ＣＥ）で所望のＭＴＣＨが伝送されるＭＢＳＦＮサブフレームの位置を４３０段階で獲得する。端末は、ＭＣＨスケジューリング情報（ＭＣＨ  ｓｃｈｅｄｕｌｉｎｇ  ｉｎｆｏｒｍａｔｉｏｎ）を利用して、所望のＭＴＣＨを４３５段階でデコーディングする。
【００２５】
前述したように、ＬＴＥ  Ｒｅｌ−１０では、ＴＭ９端末に限って、ＭＢＳＦＮ伝送のために割り当てられたサブフレームをユニキャスト目的で専用することができる。すなわち、ＳＩＢ２のＭＢＳＦＮサブフレーム設定リスト（ＭＢＳＦＮ−ＳｕｂｆｒａｍｅＣｏｎｆｉｇＬｉｓｔ  ＩＥ）にＭＢＳＦＮサブフレームとして予約（ｒｅｓｅｒｖｅ）されたサブフレームであっても、ユニキャスト目的で利用することができる。また、このようなサブフレームは、半永久的スケジューリング（Ｓｅｍｉ−Ｐｅｒｓｉｓｔｅｎｔ  Ｓｃｈｅｄｕｌｉｎｇ、ＳＰＳ）によって下向きリンクスケジューリング（ＤＬ  ａｓｓｉｇｎｍｅｎｔ）が発生するＴＴＩ（伝送時間間隔、Ｔｒａｎｓｍｉｓｓｉｏｎ  Ｔｉｍｅ  Ｉｎｔｅｒｖａｌ）と重なることもできる。したがって、この場合、適切な端末動作が要求される。
【００２６】
ＶｏＩＰのように、周期的に無線資源割り当てが必要なトラフィックに個別的にデータバースト（ｄａｔａ  ｂｕｒｓｔ）伝送のためのスケジューリング情報を提供することは、シグナリングオーバーヘッドのみを増加させる。したがって、周期的に無線資源を割り当てるスケジューリング情報をあらかじめ一度だけ端末に提供し、端末は、周期的に割り当てられた無線資源を利用してデータを伝送するスケジューリング技法をＳＰＳと言う。
ＳＰＳは、搬送波結合（Ｃａｒｒｉｅｒ  Ａｇｇｒｅｇａｔｉｏｎ、ＣＡ）技法でＰＣｅｌｌだけで適用可能であり、ＳＣｅｌｌでは、適用することができない。
【００２７】
図５は、ＳＰＳを活性（ａｃｔｉｖａｔｉｏｎ）及び非活性（ｄｅａｃｔｉｖａｔｉｏｎ）する過程を説明するための流れ図である。
ＳＰＳ活性及び非活性は、基本的にＲＲＣシグナリング及びＰＤＣＣＨを利用して行う。
端末５００がＶｏＩＰのように周期的にデータが発生するサービスを提供されることを希望すれば、基地局５０５は、５１０段階で、ＲＲＣ連結再設定（ＲＲＣＣｏｎｎｅｃｔｉｏｎＲｅｃｏｎｆｉｇｕｒａｔｉｏｎ）メッセージにＩＥ  ＳＰＳ−Ｃｏｎｆｉｇを含ませて伝送する。当該ＩＥには、ＳＰＳ  Ｃ−ＲＮＴＩ情報、ＳＰＳ間隔（ｉｎｔｅｒｖａｌ）、ＨＡＲＱプロセス（ｐｒｏｃｅｓｓ）数、ｉｍｐｌｉｃｉｔＲｅｌｅａｓｅＡｆｔｅｒなどＳＰＳを行うのに必要な情報を含んでいる。
【００２８】
ここで、ＳＰＳ  Ｃ−ＲＮＴＩは、ＳＰＳ最初伝送時点及び再伝送のためのスケジューリング情報を指示するのに利用される。ＳＰＳ  ｉｎｔｅｒｖａｌは、無線資源が割り当てられる周期を示す。ｉｍｐｌｉｃｉｔＲｅｌｅａｓｅＡｆｔｅｒは、ＳＰＳ非活性過程で説明する。実際ＳＰＳ活性は、５１５段階で、基地局が前記ＳＰＳ  Ｃ−ＲＮＴＩと‘０’値を有する新規データ指示子（Ｎｅｗ  Ｄａｔａ  Ｉｎｄｉｃａｔｏｒ  ＮＤＩ）を含むＰＤＣＣＨを端末に送って行われる。ＮＤＩは、ＳＰＳ最初伝送及び再伝送を区別するのに使用し、図６で例題とともに詳しく説明する。
【００２９】
そして、５２０段階で、端末は、受信したＳＰＳ−Ｃｏｎｆｉｇ情報を利用して、ＳＰＳを行い始める。
５２５段階で、端末は、周期的に割り当てられた無線資源を使用して、データを伝送する。データ伝送中に、データ伝送エラーが発生し、再伝送が必要な場合、下向きリンクでは、基地局が再伝送のための無線資源を別にスケジューリングする。一方、上向きリンクでは、あらかじめ指定された無線資源で再伝送が行われる。再伝送と関連した動作は、図６で詳しく説明する。
【００３０】
５３０段階に進行し、基地局がこれ以上ＳＰＳを適用したくない場合、基地局は、ＳＰＳを非活性化（ｄｅａｃｔｉｖａｔｉｏｎ）させる。このために、基地局は、ＲＲＣ連結再設定（ＲＲＣＣｏｎｎｅｃｔｉｏｎＲｅｃｏｎｆｉｇｕｒａｔｉｏｎ）メッセージにＩＥ  ＳＰＳ−Ｃｏｎｆｉｇを利用して、ＳＰＳを非活性化させる。ＲＲＣシグナリングを利用したＳＰＳ活性化／非活性化（ａｃｔｉｖａｔｉｏｎ／ｄｅａｃｔｉｖａｔｉｏｎ）は、下向きリンク及び上向きリンクがいずれも可能である。
【００３１】
付加的に、上向きリンクでは、ｉｍｐｌｉｃｉｔＲｅｌｅａｓｅＡｆｔｅｒ情報を利用して、ｉｍｐｌｉｃｉｔにＳＰＳを非活性化（ｄｅａｃｔｉｖａｔｉｏｎ）させることができる。ｉｍｐｌｉｃｉｔＲｅｌｅａｓｅＡｆｔｅｒは、｛２、３、４、８｝のうち１つの整数を有し、端末が上向きリンクデータ伝送過程で送るデータが存在しないため、ＭＡＣ  ＳＤＵが含まれないＭＡＣ  ＰＤＵがｉｍｐｌｉｃｉｔＲｅｌｅａｓｅＡｆｔｅｒが指示する数分だけ生成されれば、ｉｍｐｌｉｃｉｔにＳＰＳを非活性化（ｄｅａｃｔｉｖａｔｉｏｎ）させる。
【００３２】
図６は、下向きリンクでＳＰＳ動作と再伝送方法を説明するための図である。ＳＰＳ動作が活性化されれば、下向きリンクでデータ伝送のために周期的に無線資源が割り当てられるが、再伝送のための無線資源は、基地局が別にスケジューリングする。このために、大きく、システムは、ＮＤＩとＨＡＲＱプロセスＩＤ（ＨＡＲＱ  ｐｒｏｃｅｓｓ  ＩＤ）を利用する。２つのＩＥは、ＳＰＳ  Ｃ−ＲＮＴＩとともに、ＰＤＣＣＨに含まれて端末に伝達する。
【００３３】
ＳＰＳ動作でＮＤＩ（Ｎｅｗ  Ｄａｔａ  Ｉｎｄｉｃａｔｏｒ）は、ＳＰＳ最初伝送及び再伝送を区別するのに使用される。すなわち、ＮＤＩが‘０’に設定されれば、ＳＰＳ最初伝送を示す。一方、‘１’に設定されれば、当該スケジューリング情報が再伝送のためのものであることを指示する。
一方、ＨＡＲＱ  ｐｒｏｃｅｓｓ  ＩＤは、当該スケジューリング情報がどのデータ伝送に対する下向きリンクスケジューリング（ＤＬ  ａｓｓｉｇｎｍｅｎｔ）情報であるかを区別するのに利用される。周期的に割り当てられた無線資源を通じて、データ伝送が起きる度に、ＨＡＲＱ  ｐｒｏｃｅｓｓ  ＩＤが１ずつ増加し、当該データ伝送を指示するのに利用される。
【００３４】
端末がＩＥＳＰＳ−Ｃｏｎｆｉｇを含むＲＲＣ連結再設定（ＲＲＣＣｏｎｎｅｃｔｉｏｎＲｅｃｏｎｆｉｇｕｒａｔｉｏｎ）メッセージを受信し、ＳＰＳが活性化された後、６００段階で、ＳＰＳ  Ｃ−ＲＮＴＩと‘０’に設定されたＮＤＩ値を含むＰＤＣＣＨを受信する。当該ＰＤＣＣＨと対応するＰＤＳＣＨでＳＰＳ最初伝送が起きる。
しかし、伝送エラーが発生し、端末が基地局にＮＡＣＫを伝達すれば、６０５段階で、基地局は、再伝送のためのスケジューリング情報を端末に提供する。この際、ＳＰＳ  Ｃ−ＲＮＴＩとともに、‘０’に設定されたＨＡＲＱ  ｐｒｏｃｅｓｓ  ＩＤと‘１’に設定されたＮＤＩ値をＰＤＣＣＨに含ませる。ＨＡＲＱ  ｐｒｏｃｅｓｓ  ＩＤは、当該スケジューリング情報が６００段階で伝達されたデータに対する再伝送下向きリンクスケジューリング（ＤＬ  ａｓｓｉｇｎｍｅｎｔ）情報であることを指示する。また、ＮＤＩは、当該スケジューリング情報が再伝送であることを示す。
【００３５】
一方、６１０段階で、周期的な無線資源に対応する新しい伝送が発生する。そして、６１５段階で、再伝送のためのスケジューリング情報がさらに端末に提供される。端末は、ＮＤＩ＝１を通じて、再伝送と関連したスケジューリング情報であることを認知し、当該スケジューリング情報が一番目のデータのための再伝送下向きリンクスケジューリング（ＤＬ  ａｓｓｉｇｎｍｅｎｔ）情報であるかまたは二番目データのための再伝送下向きリンクスケジューリング（ＤＬ  ａｓｓｉｇｎｍｅｎｔ）情報であるかをＨＡＲＱ  ｐｒｏｃｅｓｓ  ＩＤで区別する。ＨＡＲＱ  ｐｒｏｃｅｓｓ  ＩＤは、‘０’であって、一番目のデータであることを指示する。
６２０段階で、再伝送のためのスケジューリング情報がまた端末に提供される。この際、ＨＡＲＱ  ｐｒｏｃｅｓｓ  ＩＤが‘１’に設定されているので、二番目のデータ伝送に対する下向きリンクスケジューリング（ＤＬ  ａｓｓｉｇｎｍｅｎｔ）情報であることが分かる。６２５段階で、三番目のデータ伝送が発生する。
【００３６】
一方、前述したように、ＴＭ９端末に限ってＭＢＳＦＮ伝送のために割り当てられたサブフレームをユニキャスト目的で専用することができ、当該サブフレームは、半永久的スケジューリング（Ｓｅｍｉ−Ｐｅｒｓｉｓｔｅｎｔ  Ｓｃｈｅｄｕｌｉｎｇ、ＳＰＳ）によって下向きリンクスケジューリング（ＤＬ  ａｓｓｉｇｎｍｅｎｔ）が発生するＴＴＩと重なることもできる。
本発明では、このような場合のための適切な端末動作を提案する。また、本発明は、基地局が特定ＭＢＭＳサービスがどんな周波数またはセルで提供されるかを効率的に決定することができるように端末がＭＢＭＳカウンティング（ＭＢＭＳ  ｃｏｕｎｔｉｎｇ）情報を基地局に提供する過程を含む。
【００３７】
下向きリンクでＳＰＳによって、スケジューリング（ａｓｓｉｇｎｍｅｎｔ）が発生するＴＴＩがＭＢＳＦＮサブフレームと重なるとき、もし端末がＴＭ−９端末なら、当該下向きリンクスケジューリング（ＤＬ  ａｓｓｉｇｎｍｅｎｔ）を処理する必要があるが、ｔｍ−９端末ではなければ、ＭＢＳＦＮサブフレームをユニキャスト用に専用することができないので、当該下向きリンクスケジューリング（ＤＬ  ａｓｓｉｇｎｍｅｎｔ）を無視する。
一方、ＴＭ−９端末であるが、当該ＭＢＳＦＮサブフレームでＰＭＣＨを処理しなければならない場合、当該下向きリンクスケジューリング（ＤＬ  ａｓｓｉｇｎｍｅｎｔ）を無視する。ＴＭ−９端末であるが、当該ＭＢＳＦＮでＰＭＣＨを処理しなくてもよい場合、下向きリンクスケジューリング（ＤＬ  ａｓｓｉｇｎｍｅｎｔ）を処理しなければならない。
【００３８】
図７は、本発明の実施形態による端末の動作手順を説明するための流れ図である。
７００段階で、端末は、ＲＲＣ連結形成（ＲＲＣ  ｃｏｎｎｅｃｔｉｏｎ  ｅｓｔａｂｌｉｓｈｍｅｎｔ）を行う。７０５段階で、端末は、ＰＣｅｌｌのＳＩＢ２メッセージからＭＢＳＦＮサブフレーム設定リスト（Ｍｂｓｆｎ−ＳｕｂｆｒａｍｅＣｏｎｆｉｇＬｉｓｔ）を受信する。
【００３９】
そして、端末は、７１０段階で、ユーザの意図によって、端末自分がＭＢＭＳサービス受信が必要であるかを判断する。もしＭＢＭＳサービス受信が必要なら、端末は、７１５段階で、基地局からブロードキャスト（ｂｒｏａｄｃａｓｔ）される第１メッセージを受信する。第１メッセージは、ＳＩ（Ｓｙｓｔｅｍ  Ｉｎｆｏｒｍａｔｉｏｎ）の形態で伝送され、サービングセル及び周辺セルで周波数別に提供されているＭＢＭＳサービスと関連した情報を含んでいる。例えば、サービングセル及び周辺セルで提供されるＭＢＭＳサービスの識別子が周波数別に分類されて提供されることができる。
【００４０】
そして、端末は、７２０段階で、受信しようとするＭＢＭＳサービスが現在セルまたは周辺セル（換言すれば、現在セルまたは周辺周波数）で提供されるかを判断する。提供されたら、端末は、７２５段階で、第２メッセージであるＭＢＭＳカウンティング応答（ＭＢＭＳ  ｃｏｕｎｔｉｎｇ  ｒｅｓｐｏｎｓｅ）メッセージを基地局に伝送する。前記第２メッセージは、端末自分が受信しようとするＭＢＭＳサービスが提供される周波数と関連した情報を含む。例えば、端末が関心あるＭＢＭＳサービスがサービングセルで提供されるか否か、すなわち自分が関心があるＭＢＭＳサービスが提供される周波数がサービング周波数であるか否かに対する情報などがこれに該当する。
【００４１】
そして、７３０段階で、端末は、現在ＴＴＩに下向きリンクスケジューリング（ＤＬ  ａｓｓｉｇｎｍｅｎｔ）が発生したことを感知する。これは、以前任意の時点にＤＬ  ＳＰＳが活性化され、現在ＴＴＩで前記活性化されたＳＰＳによって設定（ｃｏｎｆｉｇｕｒｅ）された下向きリンクスケジューリング（ＤＬ  ａｓｓｉｇｎｍｅｎｔ）が発生したことを仮定したものである。もちろん前記動作は、現在サービングセルがＰＣｅｌｌである場合に有効である。
【００４２】
そして、端末は、７３５段階で、当該ＴＴＩが測定区間（ｍｅａｓｕｒｅｍｅｎｔ  ｇａｐ）に該当するかを判断する。測定区間というのは、隣接セルに位置する端末の当該周波数に対する測定のために、サービングセルでどんな伝送も行わない区間を意味する。
もし、測定区間に該当すれば、端末は、７６０段階に進行し、当該下向きリンクスケジューリング（ＤＬ  ａｓｓｉｇｎｍｅｎｔ）情報を無視する。
一方、測定区間に該当しなければ、端末は、７４０段階に進行し、当該ＴＴＩがＭＢＳＦＮサブフレームに該当するかを判断する。端末は、ＭＢＳＦＮサブフレームであるか否かについては、あらかじめ受信したＭＢＳＦＮサブフレーム設定リスト（Ｍｂｓｆｎ−ＳｕｂｆｒａｍｅＣｏｎｆｉｇＬｉｓｔ）から確認することができる。
【００４３】
ＭＢＳＦＮサブフレームではなければ、端末は、７５５段階に進行し、当該下向きリンクスケジューリング（ＤＬ  ａｓｓｉｇｎｍｅｎｔ）を処理する。
一方、ＭＢＳＦＮサブフレームなら、端末は、７４５段階に進行し、当該サブフレームで受信しようとするＭＢＭＳサービスが伝送されているかを判断する。所望のＭＢＭＳサービスのために使用されていれば、端末は、７６０段階に進行し、当該下向きリンクスケジューリング（ＤＬ  ａｓｓｉｇｎｍｅｎｔ）を無視する。
一方、実際ＭＢＭＳサービスのために使用されていなければ、端末は、７５０段階に進行し、自分に伝送モード９（ＴＭ９）が設定（ｃｏｎｆｉｇｕｒｅ）されているかを判断する。
【００４４】
もし、ＴＭ９が設定（ｃｏｎｆｉｇｕｒｅ）されていなければ、当該端末は、ＭＢＳＦＮサブフレームをユニキャスト用途に専用することができないので、７６０段階に進行し、当該下向きリンクスケジューリング（ＤＬ  ａｓｓｉｇｎｍｅｎｔ）を無視する。
一方、前記端末にＴＭ９が設定（ｃｏｎｆｉｇｕｒｅ）されていれば、端末は、７５５段階に進行し、前記下向きリンクスケジューリング（ＤＬ  ａｓｓｉｇｎｍｅｎｔ）を処理する。
【００４５】
さらに７２０段階に戻って説明すれば、受信しようとするＭＢＭＳサービスが現在セルまたは周辺周波数で提供されていない場合、端末は、７６５段階で、現在ＴＴＩに設定された下向きリンクスケジューリング（ＤＬ  ａｓｓｉｇｎｍｅｎｔ）が発生したことを感知する。前記動作は、現在サービングセルがＰＣｅｌｌである場合に有効である。
７７０段階で、端末は、前記ＴＴＩが測定区間（ｍｅａｓｕｒｅｍｅｎｔ  ｇａｐ）に該当するかを判断する。
もし、測定区間に該当すれば、端末は、７８５段階に進行し、当該下向きリンクスケジューリング（ＤＬ  ａｓｓｉｇｎｍｅｎｔ）情報を無視する。
一方、測定区間に該当しなければ、端末は、７７５段階に進行し、自分に伝送モード９（ＴＭ９）が設定（ｃｏｎｆｉｇｕｒｅ）されているかを判断する。
【００４６】
もし、ＴＭ９が設定（ｃｏｎｆｉｇｕｒｅ）されていれば、端末は、７９０段階に進行し、当該下向きリンクスケジューリング（ＤＬ  ａｓｓｉｇｎｍｅｎｔ）を処理する。
一方、ＴＭ９が設定（ｃｏｎｆｉｇｕｒｅ）されていなければ、端末は、７８０段階に進行し、端末は、当該ＴＴＩがＭＢＳＦＮサブフレームに該当するかを判断する。ＭＢＳＦＮサブフレームであるか否かについては、端末は、あらかじめＳＩＢ２を通じて受信したＭＢＳＦＮサブフレーム設定リスト（Ｍｂｓｆｎ−ＳｕｂｆｒａｍｅＣｏｎｆｉｇＬｉｓｔ）から確認することができる。
前記当該ＴＴＩがＭＢＳＦＮサブフレームなら、端末は、７８５段階に進行し、当該下向きリンクスケジューリング（ＤＬ  ａｓｓｉｇｎｍｅｎｔ）を無視する。一方、前記当該ＴＴＩがＭＢＳＦＮサブフレームではない場合、端末は、７９０段階に進行し、当該下向きリンクスケジューリング（ＤＬ  ａｓｓｉｇｎｍｅｎｔ）を処理する。
【００４７】
一方、７７５段階で、前記端末にＴＭ９が設定（ｃｏｎｆｉｇｕｒｅ）されている場合、すぐ下向きリンクスケジューリング（ＤＬ  ａｓｓｉｇｎｍｅｎｔ）を処理する。しかし、実際当該ＴＴＩで端末に対する順方向データではないＭＢＳＦＮサービスが伝送されていてもよい。この場合、処理された下向きリンクスケジューリング（ＤＬ  ａｓｓｉｇｎｍｅｎｔ）は、伝送エラーが発生し、端末は、ＮＡＣＫを基地局に伝送する。基地局は、当該伝送に対して再伝送を試みるので、動作上エラーが発生するものではない。
【００４８】
本発明の別の実施形態によれば、７８０段階で、端末は、ＳＩＢ２で受信したＭＢＳＦＮサブフレーム設定リスト（Ｍｂｓｆｎ−ＳｕｂｆｒａｍｅＣｏｎｆｉｇＬｉｓｔ）から当該ＴＴＩがＭＢＳＦＮサブフレームであるかを判断したが、実際ＭＢＳＦＮサブフレーム設定リスト（Ｍｂｓｆｎ−ＳｕｂｆｒａｍｅＣｏｎｆｉｇＬｉｓｔ）でＭＢＳＦＮサブフレームとして指示されても、ユニキャスト目的で使用可能である。
したがって、図４の４３０段階で、実際ＭＢＳＦＮが伝送されるサブフレームであるかを最終判断した後、７８５段階で、下向きリンクスケジューリング（ＤＬ  ａｓｓｉｇｎｍｅｎｔ）を処理することもできる。
【００４９】
図８は、ＭＢＭＳカウンティング要請及び応答（ＭＢＭＳ  ｃｏｕｎｔｉｎｇ  ｒｅｑｕｅｓｔ／ｒｅｓｐｏｎｓｅ）過程を詳細に説明するための図である。
ＭＢＭＳカウンティング要請／応答（ｃｏｕｎｔｉｎｇ  ｒｅｑｕｅｓｔ／ｒｅｓｐｏｎｓｅ）過程は、図７の段階７１５、７２５で既に言及したことがある。これについてさらに詳細に説明すれば、８１５段階で、基地局８０５は、端末８００にＭＢＭＳサービスと関連した情報を提供する。当該情報は、ＳＩ（ｓｙｓｔｅｍ  Ｉｎｆｏｒｍａｔｉｏｎ）の形態でブロードキャスト（ｂｒｏａｄｃａｓｔ）され、従来のＳＩＢに含まれるか、新たに定義されたＳＩＢに含まれることができる。当該メッセージは、一種のカウンティング要請（ＣＯＵＮＴＩＮＧ  ＲＥＱＵＥＳＴ）メッセージであり、不特定多数の端末に伝送される。前記カウンティング要請（ＣＯＵＮＴＩＮＧ  ＲＥＱＵＥＳＴ）メッセージは、ＭＣＣＨを通じて伝送されることができ、次の情報を含む。
−（１）ＭＢＭＳサービス識別子
−（２）前記ＭＢＭＳサービスが提供されるか、提供される周波数レイヤ（ｆｒｅｑｕｅｎｃｙ  ｌａｙｅｒ）情報または前記メッセージには、ＭＢＭＳサービスが提供される周波数リストだけが含まれ、所定の周波数でどんなＭＢＭＳサービスが提供されるかは、端末が他の方式で、例えば端末に提供されるＭＢＭＳサービスガイド情報を通じて判断することもできる。基地局は、すべての周波数レイヤ（ｆｒｅｑｕｅｎｃｙ  ｌａｙｅｒ）のセルを通じて前記カウンティング要請（ＣＯＵＮＴＩＮＧ  ＲＥＱＵＥＳＴ）メッセージを伝送する。
【００５０】
端末は、基地局から前記メッセージを受信すれば、当該ＭＢＭＳサービスを既に受信中であるか、受信することを希望する場合、基地局にカウンティング応答（ＣＯＵＮＴＩＮＧ  ＲＥＳＰＯＮＳＥ）メッセージを伝送することができる。このために、端末は、８２０段階で、ＭＢＭＳカウンティング応答（ＭＢＭＳＣＯＵＮＴＩＮＧ  ＲＥＳＰＯＮＳＥ）メッセージを基地局に伝送する。
前記ＭＢＭＳカウンティング応答メッセージは、端末自分が受信しようとするＭＢＭＳサービスの周波数と関連した情報を含む。このような情報を詳しく記述すれば、前記ＭＢＭＳサービスが提供される周波数レイヤ（ｆｒｅｑｕｅｎｃｙ  ｌａｙｅｒ）ではない他の周波数レイヤ（ｆｒｅｑｕｅｎｃｙ  ｌａｙｅｒ）のセル（ｃｅｌｌ）がサービングセル（ｓｅｒｖｉｎｇ  ｃｅｌｌ）である端末は、カウンティング応答（ＣＯＵＮＴＩＮＧ  ＲＥＳＰＯＮＳＥ）メッセージにこれを表示することができ、カウンティング応答（ＣＯＵＮＴＩＮＧ  ＲＥＳＰＯＮＳＥ）メッセージには、次の情報が収納される。
−（１）カウンティング要請（ＣＯＵＮＴＩＮＧ  ＲＥＱＵＥＳＴ）に含まれたＭＢＭＳサービスのうち受信中であるか、受信することを希望するＭＢＭＳサービスの識別子
−前記受信中であるか、受信することを希望するＭＢＭＳサービスが提供されるか、提供される周波数レイヤ（ｆｒｅｑｕｅｎｃｙ  ｌａｙｅｒ）がサービング周波数（ｓｅｒｖｉｎｇｆｒｅｑｕｅｎｃｙ）であるか否かを表示する情報。（端末に搬送波結合（Ｃａｒｒｉｅｒ  ａｇｇｒｅｇａｔｉｏｎ）が設定されている場合、前記周波数レイヤ（ｆｒｅｑｕｅｎｃｙ  ｌａｙｅｒ）がＰＣｅｌｌの周波数レイヤ（ｆｒｅｑｕｅｎｃｙ  ｌａｙｅｒ）であるか、ＳＣｅｌｌの周波数レイヤ（ｆｒｅｑｕｅｎｃｙ  ｌａｙｅｒ）であるかを指示することができる）
【００５１】
８２５段階で、基地局は、自分が担当するセル（Ｃｅｌｌ）で受信されたカウンティング応答（ＣＯＵＮＴＩＮＧ  ＲＥＳＰＯＮＳＥ）メッセージに収納された情報に基づいてＭＢＭＳサービスカウンティング結果報告（ＭＢＭＳ  Ｓｅｒｖｉｃｅ  Ｃｏｕｎｔｉｎｇ  Ｒｅｓｕｌｔｓ  Ｒｅｐｏｒｔ）を生成する。前記メッセージには、次の情報が収納される。
−（１）ＭＢＭＳサービス別に、当該ＭＢＭＳサービスに関心を有しているか、当該サービスを受信中の端末の数
−（２）ＭＢＭＳサービス別に当該ＭＢＭＳサービスに関心を有しているか、当該サービスを受信中の端末のうち、前記ＭＢＭＳサービスが提供される周波数レイヤ（ｆｒｅｑｕｅｎｃｙ  ｌａｙｅｒ）がサービング周波数（ｓｅｒｖｉｎｇ  ｆｒｅｑｕｅｎｃｙ）である端末の数とサービング周波数ではない（ｎｏｎ−ｓｅｒｖｉｎｇ  ｆｒｅｑｕｅｎｃｙ）端末の数
一方、本発明の別の実施形態によれば、次の情報を収納することもできる。
−（３）各周波数レイヤ（ｆｒｅｑｕｅｎｃｙ  ｌａｙｅｒ）別に、当該ＭＢＭＳサービスに関心を有しているか、当該サービスを受信中の端末の数
【００５２】
８３０段階で、基地局は、ＭＢＭＳサービスカウンティング結果（ＭＢＭＳ  Ｓｅｒｖｉｃｅ  Ｃｏｕｎｔｉｎｇ  Ｒｅｓｕｌｔｓ）をＭＣＥ（Ｍｕｌｔｉ−ｃｅｌｌ／ｍｕｌｔｉｃａｓｔ  Ｃｏｏｒｄｉｎａｔｉｏｎ  Ｅｎｔｉｔｙ）に伝送する。そして、ＭＣＥは、８３５段階で、前記カウンティング結果（ｃｏｕｎｔｉｎｇ  ｒｅｓｕｌｔ）を参照して、必要な動作を行う。例えば、任意のＭＢＭＳサービスを受信するために、周波数間のハンドオーバー（ｉｎｔｅｒ−ｆｒｅｑｕｅｎｃｙ  ｈａｎｄｏｖｅｒ）を行うべき端末の数があまりにも多ければ、前記ＭＢＭＳサービスを多数の周波数レイヤ（ｆｒｅｑｕｅｎｃｙ  ｌａｙｅｒ）で提供することに決定し、このための諸手続を行うことができる。
【００５３】
図９は、本発明の実施形態による端末の内部構造を示すブロック図である。
端末は、上位階層装置９１０とデータなどを送受信し、制御メッセージ処理部９１５を通じて制御メッセージを送受信する。そして、前記端末は、基地局に制御信号またはデータ送信時に、制御部９２０の制御によって多重化装置９０５を通じて多重化後、送信機９００を通じてデータを伝送する。一方、受信時に、端末は、制御部９２０の制御によって受信機９００で物理信号を受信した後、逆多重化装置９０５で受信信号を逆多重化し、それぞれメッセージ情報によって上位階層装置９１０または制御メッセージ処理部９１５に伝達する。
【００５４】
一方、前記では、端末が複数のブロックで構成され、各ブロックが互いに異なる機能を行うものと記述されたが、これは、一実施形態に過ぎず、必ずこれに限定されるものではない。例えば、逆多重化装置９０５が行う機能を制御部９２０自体が行うこともできる。
この場合、制御部９２０は、任意の伝送時間間隔（Ｔｒａｎｓｍｉｓｓｉｏｎ  Ｔｉｍｅ  Ｉｎｔｅｒｖａｌ）で下向きリンクスケジューリングの発生を感知することができる。そして、制御部９２０は、前記端末が伝送モード９に設定されたかまたは前記伝送時間間隔がＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームに該当するか否かによって前記下向きリンクスケジューリングの処理可否を決定する。そして、制御部９２０は、前記決定結果によって前記下向きリンクスケジューリングを処理するかまたは無視するように処理するように制御する。
【００５５】
より具体的には、制御部９２０は、前記伝送時間間隔が測定区間に該当するかを判断し、前記測定区間に該当する場合、前記下向きリンクスケジューリングを無視するように制御する。
また、制御部９２０は、前記伝送時間間隔が測定区間に該当しない場合、前記端末が伝送モード９に設定されたかを判断し、前記伝送モード９に設定されない場合、前記伝送時間間隔がＭＢＳＦＮサブフレームであるかを判断し、前記ＭＢＳＦＮサブフレームである場合、前記下向きリンクスケジューリングを無視するように制御する。
また、制御部９２０は、前記伝送時間間隔がＭＢＳＦＮサブフレームではない場合、前記下向きリンクスケジューリングを処理するように制御する。
そして、制御部９２０は、前記伝送モード９に設定された場合、前記下向きリンクスケジューリングを処理するように制御する。
【００５６】
図１０は、本発明の実施はいによる基地局の内部構造を示すブロック図である。図１０に示されたように、本発明の基地局は、送受信機１００５、制御部１０１０、多重化及び逆多重化装置１０２０、制御メッセージ処理部１０３５、各種上位階層装置１０２５、１０３０、スケジューラ１０１５を含むことができる。
【００５７】
送受信機１００５は、順方向キャリアでデータ及び所定の制御信号を伝送し、逆方向キャリアでデータ及び所定の制御信号を受信する。多数のキャリアが設定された場合、送受信機１００５は、前記多数のキャリアでデータ送受信及び制御信号送受信を行う。
多重化及び逆多重化装置１０２０は、上位階層装置１０２５、１０３０や制御メッセージ処理部１０３５で発生したデータを多重化するか、送受信機１００５で受信されたデータを逆多重化し、適切な上位階層装置１０２５、１０３０や制御メッセージ処理部１０３５、または制御部１０１０に伝達する役目をする。制御メッセージ処理部１０３５は、端末が伝送した制御メッセージを処理し、必要な動作を取るか、端末に伝達する制御メッセージを生成し、下位階層に伝達する。
【００５８】
上位階層装置１０２５、１０３０は、端末別にサービス別に構成されることができ、ＦＴＰやＶｏＩＰなどのようなユーザサービスで発生するデータを処理し、多重化及び逆多重化装置１０２０に伝達するか、多重化及び逆多重化装置１０２０から伝達したデータを処理し、上位階層のサービスアプリケーションに伝達する。
制御部１０１０は、端末がいつＭＢＭＳを伝送するかを判断し、送受信部を制御する。
スケジューラ１０１５は、端末のバッファー状態、チャネル状態及び端末の活性時間（Ａｃｔｉｖｅ  Ｔｉｍｅ）などを考慮して端末に適切な時点に伝送資源を割り当てて、送受信部に端末が伝送した信号を処理するか、端末に信号を伝送するように処理する。
【００５９】
本明細書と図面に開示された本発明の実施形態は、本発明の技術内容を容易に説明し、本発明の理解を助けるために特定の形態を提示したものに過ぎず、本発明の範囲を限定しようとするものではない。ここに開示された実施形態以外にも、本発明の技術的思想に基づく他の変形形態が実施可能であるということは、本発明の属する技術分野における通常の知識を有する者に自明である。
【符号の説明】
【００６０】
９００  送受信機
９０５  多重化および逆多重化装置
９１０  上位階層装置
９１５  制御メッセージ処理部
９２０  制御部
１００５  送受信機
１０１０  制御部
１０１５  スケジューラ
１０２０  多重化および逆多重化装置
１０２５，１０３０  上位階層装置
１０３５  制御メッセージ処理部
【図１】
0006054375.tif 000003
【図２】
0006054375.tif 000004
【図３】
0006054375.tif 000005
【図４】
0006054375.tif 000006
【図５】
0006054375.tif 000007
【図６】
0006054375.tif 000008
【図７】
0006054375.tif 000009
【図８】
0006054375.tif 000010
【図９】
0006054375.tif 000011
【図１０】
0006054375.tif 000012